(57)【特許請求の範囲】
【請求項１】
磁気ヘッドを備えたヘッドシリンダと、デッキベースとを有する磁気記録再生装置において、
上記ヘッドシリンダの底面に備えられ、上記ヘッドシリンダに対向する上面及びその反対の面である下面を有し、かつ形状が第１及び第２の端部を有するほぼ円弧状であり、上記第１の端部と上記ヘッドシリンダの中心軸とを結ぶ第１の線と、上記第２の端部と上記ヘッドシリンダの中心軸とを結ぶ第２の線とがなす角度が１８０゜より大なるフランジ部と、
上記フランジ部の下面に備えられた当接手段と、
上記フランジ部の上面に接触する係合部を有し、上記当接手段を上記デッキベースの上面に当接させた状態で、上記係合部により上記フランジ部の上面に上記デッキベースに向かう力を、上記フランジ部の少なくとも上記第１の端部近傍、上記第２の端部近傍、及び上記第１の端部と上記第２の端部との間に付与することによって上記ヘッドシリンダを上記デッキベース上に固定する弾性プレートと、
上記デッキベースの上面に形成されたねじ穴と、
上記ねじ穴に係合させることによって、上記弾性プレートを上記デッキベースに固定するねじとを有することを特徴とする磁気記録再生装置。
【請求項２】
上記ヘッドシリンダが、上記デッキベースに固定される固定ドラムと、上記固定ドラム上に備えられる回転ドラムとを有し、
上記フランジ部と、上記当接手段とが、上記固定ドラムの底面に、上記固定ドラムと一体的に備えられている
ことを特徴とする請求項１に記載の磁気記録再生装置。
【請求項３】
上記当接手段が、上記デッキベースに当接する第１乃至第３の当接部を有し、
上記固定ドラムの底面からの上記第３の当接部の高さが、上記固定ドラムの底面からの上記第１の当接部の高さ及び上記第２の当接部の高さのいずれよりも高い
ことを特徴とする請求項２に記載の磁気記録再生装置。
【請求項４】
上記ヘッドシリンダの底面に、突起部を備え、
上記デッキベースに、凹部を備え、
上記突起部を上記凹部に係合させた状態で、上記弾性プレート及び上記ねじにより上記ヘッドシリンダを上記デッキベース上に固定する
ことを特徴とする請求項１乃至３のいずれか一つに記載の磁気記録再生装置。
【請求項５】
上記ヘッドシリンダに備えられた上記突起部が、第１及び第２のボスから構成されており、
上記デッキベースに備えられた上記凹部が、第１及び第２の貫通孔から構成されており、
上記第１のボスが上記第１の貫通孔に係合し、上記第２のボスが上記第２の貫通孔に係合する
ことを特徴とする請求項４に記載の磁気記録再生装置。
【請求項６】
上記弾性プレートの係合部が、上記第１乃至第３の当接部付近に係合する第１乃至第３の部分からなることを特徴とする請求項３に記載の磁気記録再生装置。
【請求項７】
上記弾性プレートが、上記フランジ部の上記第１の端部又は上記第２の端部のいずれかに当接することによって、上記フランジ部に対する上記弾性プレートの位置を決める回転止め部を有することを特徴とする請求項１乃至６のいずれか一つに記載の磁気記録再生装置。
【請求項８】
上記弾性プレートが、上記フランジ部の上記第１の端部側に係合する第１の弾性プレートと、上記フランジ部の上記第２の端部側に係合する第２の弾性プレートとを有することを特徴とする請求項１乃至７のいずれか一つに記載の磁気記録再生装置。
【発明の詳細な説明】
【０００１】
【発明の属する技術分野】
本発明は、例えば、ヘリキャルスキャン方式の磁気記録再生装置において、ヘッドシリンダをデッキベースに固定するヘッドシリンダの固定装置に関するものである。
【０００２】
【従来の技術】
ヘリキャルスキャン方式を採用する磁気記録再生装置においては、一般に、ヘッドシリンダをデッキベースに対して傾斜させて取り付ける。図１１（ａ），（ｂ）は、ヘリキャルスキャン方式を採用する装置のヘッドシリンダの固定装置を概略的に示す平面図と正面図である。図１１（ａ），（ｂ）に示されるように、従来のヘッドシリンダの固定装置においては、デッキベース５１上に台座５２をねじ５３，５４，５５を用いて固定する。底面５６ａにねじ穴５６ｂ，５６ｃを有するヘッドシリンダ５６は、台座５２上に載せて、デッキベース５１の下から（又は、全体を裏返して上から）、ねじ５７，５８を用いて固定する。
【０００３】
【発明が解決しようとする課題】
しかしながら、上記した従来のヘッドシリンダの固定装置においては、ヘッドシリンダ５６の取り付け又は取り外しに際して、デッキベース５１の裏側からねじ５７，５８を取り付け又は取り外さなければならず、デッキベース５１の姿勢を反転させる作業が必要になる等して、作業性が悪いという問題があった。
【０００４】
また、ヘッドシリンダ５６は台座５２を介してデッキベース５１上に設置されているので、ヘッドシリンダ５６に装備された磁気ヘッド５９の高さやヘッドシリンダ５６の回転シリンダ６０の中心軸６１の傾斜角の精度が、デッキベース５１、台座５２、及びヘッドシリンダ５６の３つの部材の誤差によって左右されるため、誤差が累積して、ヘッドシリンダ５６の位置精度が悪くなるという問題があった。
【０００５】
そこで、本発明の目的は、容易に取り付け又は取り外しができ、ヘッドシリンダの位置精度を高くすることができるヘッドシリンダの固定装置を提供することにある。
【０００６】
【課題を解決するための手段】
請求項１の磁気記録再生装置は、磁気ヘッドを備えたヘッドシリンダと、デッキベースとを有する磁気記録再生装置において、
上記ヘッドシリンダの底面に備えられ、上記ヘッドシリンダに対向する上面及びその反対の面である下面を有し、かつ形状が第１及び第２の端部を有するほぼ円弧状であり、上記第１の端部と上記ヘッドシリンダの中心軸とを結ぶ第１の線と、上記第２の端部と上記ヘッドシリンダの中心軸とを結ぶ第２の線とがなす角度が１８０゜より大なるフランジ部と、
上記フランジ部の下面に備えられた当接手段と、
上記フランジ部の上面に接触する係合部を有し、上記当接手段を上記デッキベースの上面に当接させた状態で、上記係合部により上記フランジ部の上面に上記デッキベースに向かう力を、上記フランジ部の少なくとも上記第１の端部近傍、上記第２の端部近傍、及び上記第１の端部と上記第２の端部との間に付与することによって上記ヘッドシリンダを上記デッキベース上に固定する弾性プレートと、
上記デッキベースの上面に形成されたねじ穴と、
上記ねじ穴に係合させることによって、上記弾性プレートを上記デッキベースに固定するねじとを有することを特徴としている。
【０００７】
また、請求項２の磁気記録再生装置は、上記ヘッドシリンダが、上記デッキベースに固定される固定ドラムと、上記固定ドラム上に備えられる回転ドラムとを有し、上記フランジ部と、上記当接手段とが、上記固定ドラムの底面に、上記固定ドラムと一体的に備えられていることを特徴としている。
【０００８】
また、請求項３の磁気記録再生装置は、上記当接手段が、上記デッキベースに当接する第１乃至第３の当接部を有し、上記固定ドラムの底面からの上記第３の当接部の高さが、上記固定ドラムの底面からの上記第１の当接部の高さ及び上記第２の当接部の高さのいずれよりも高いことを特徴としている。
【０００９】
また、請求項４の磁気記録再生装置は、上記ヘッドシリンダの底面に、突起部を備え、上記デッキベースに、凹部を備え、上記突起部を上記凹部に係合させた状態で、上記弾性プレート及び上記ねじにより上記ヘッドシリンダを上記デッキベース上に固定することを特徴としている。
【００１０】
また、請求項５の磁気記録再生装置は、上記ヘッドシリンダに備えられた上記突起部が、第１及び第２のボスから構成されており、上記デッキベースに備えられた上記凹部が、第１及び第２の貫通孔から構成されており、上記第１のボスが上記第１の貫通孔に係合し、上記第２のボスが上記第２の貫通孔に係合することを特徴としている。
【００１３】
また、請求項６の磁気記録再生装置は、上記弾性プレートの係合部が、上記第１乃至第３の当接部付近に係合する第１乃至第３の係合部からなることを特徴としている。
【００１４】
また、請求項７の磁気記録再生装置は、上記弾性プレートが、上記フランジ部の上記第１の端部又は上記第２の端部のいずれかに当接することによって、上記フランジ部に対する上記弾性プレートの位置を決める回転止め部を有することを特徴としている。
【００１５】
また、請求項８の磁気記録再生装置は、上記弾性プレートが、上記フランジ部の上記第１の端部側に係合する第１の弾性プレートと、上記フランジ部の上記第２の端部側に係合する第２の弾性プレートとを有することを特徴としている。
【００１６】
【発明の実施の形態】
以下に、本発明のヘッドシリンダの固定装置の実施の形態を添付図面に基づいて説明する。
【００１７】
実施の形態１
図１は、本発明の実施の形態１によるヘッドシリンダの固定装置の各構成の形状を概略的に示す斜視図である。また、図２（ａ），（ｂ）は、図１のヘッドシリンダを拡大して示す正面図及び底面図である。また、図３乃至図７は、ヘッドシリンダの固定の仕方及び固定の手順を示す説明図である。
【００１８】
図１及び図２（ａ），（ｂ）に示されるように、ヘッドシリンダ１は、磁気テープ（図示せず）をガイドするリード溝（図示せず）を持つ下ドラム（Ｌ／Ｄ）２を有する。この下ドラム２は、弾性プレート３０及び第１及び第２のねじ４０，４１によってデッキベース２０上に固定される。また、ヘッドシリンダ１は、下ドラム２上に備えられ、回転中心（Ｓ／Ｄ）３を中心に回転する上ドラム（Ｕ／Ｄ）４を有する。この上ドラム４には、磁気ヘッド５が備えられており、また、上ドラム４上には、この上ドラム４を回転させるモータドラム（Ｍ／Ｄ）６が備えられている。
【００１９】
また、下ドラム２の底面２ａには、弾性プレート３０が係合するフランジ部７と、デッキベース２０の上面に当接する第１乃至第３の当接部８，９，１０と、第１及び第２のボス１１，１２とが、下ドラム２と一体的に又は下ドラム２の底面２ａに接合させることによって備えられている。第１乃至第３の当接部８，９，１０は、デッキベース２０の上面に当接することによって、デッキベース２０に対するヘッドシリンダ１の傾きを決定し、第１及び第２のボス１１，１２は、デッキベース２０の第１及び第２の貫通孔２１，２２に係合してデッキベース２０に対するヘッドシリンダ１の位置を決定する。尚、図１には、位置決め用の２本のボスが備えられているが、この数は２本に限定されない。また、デッキベース２０に形成された第１及び第２の貫通孔２１，２２は必ずしもデッキベースを貫通している必要はなく、第１及び第２のボス１１，１２に係合する深さを持つものであれば、溝であってもよい。
【００２０】
また、図２（ｂ）に示されるように、下ドラム２の底面２ａをその正面から見たときのフランジ部７の形状はほぼ円弧状であり、フランジ部７の第１の端部７ａとヘッドシリンダ１の中心軸ＡＸとを結ぶ第１の線７ｃと、フランジ部７の第２の端部７ｂと中心軸ＡＸとを結ぶ第２の線７ｄとがなす角度αが約１９０゜に設定されている。但し、角度αは、１９０゜に限定されず、１８０゜以上の他の値でもよい。
【００２１】
さらに、下ドラム２の底面２ａからの第１及び第２の当接部８，９の高さは同じであり、下ドラム２の底面２ａからの第３の当接部１０の高さは、第１及び第２の当接部８，９の高さよりも高い。第１乃至第３の当接部８，９，１０の先端は、デッキベース２０の表面に当接するように平面に形成されており、第１乃至第３の当接部８，９，１０の先端の平面は、図２（ａ）に示されるように、下ドラム２の底面２ａを含む平面（又はフランジ部７を含む平面）に対して角度θ１の傾斜を持っている。
【００２２】
さらにまた、図１に示されるように、デッキベース２０には、第１及び第２のねじ穴２３，２４と、切欠き孔２５とが備えられている。
【００２３】
また、図３の下側に示されるように、底面を正面から見たときの弾性プレート３０の形状はフランジ部７の角度αにほぼ等しい（又は、僅かに大きい）中心角を有するほぼ円弧状である。弾性プレート３０は、例えば、厚さ１．６［ｍｍ］の板金製である。弾性プレート３０は、円弧状の基部３０ａと、フランジ部７に係合するように基部７ａ側に突き出た第１乃至第３の係合部３０ｂ，３０ｃ，３０ｄを有する。また、弾性プレート３０は、基部３０ａの外周から折り曲げられ先端をデッキベース２０の上面に当接させる第１及び第２の脚部３１，３２を有する。脚部３１，３２の先端平面部には第１及び第２のねじ４０，４１を挿通させる貫通孔３１ａ，３２ａがそれぞれ備えられている。ここで、図３に示されるように、貫通孔３１ａが大径に形成されているのは、貫通孔３１ａがデッキベース２０のねじ穴２３に確実に重なることができるようにするためである。また、図５の上側に示されるように、第１及び第２の脚部３１，３２の先端平面部は、基部３０ａを含む平面に対して角度θ２の傾斜を持つている。
【００２４】
次に、ヘッドシリンダ１を弾性プレート３０及び第１及び第２のねじ４０，４１を用いてデッキベース２０上に固定する手順について説明する。
【００２５】
先ず、図３に示されるように、フランジ部７に向けて弾性プレート３０をＡ方向に差し込み、次に、図４に示されるように、弾性プレート３０の回転止め部３０ｅがフランジ部７の第１の端部７ａに当接するまで反時計方向（Ｂ方向）に回動させて、図５に示される状態にする。このとき、弾性プレート３０の第１乃至第３の係合部３０ｂ，３０ｃ，３０ｄはそれぞれ、下ドラム２の底面２ａに設けられた第１乃至第３の当接部８，９，１０近傍に係合する。
【００２６】
次に、図１又は図６に示されるように、第１のボス１１がデッキベース２０の第１の貫通孔２１に係合し、第２のボスがデッキベース２０の第２の貫通孔２２に係合するように弾性プレート３０を備えたヘッドシリンダ１をデッキベース２０上に載せる。このとき、図６に示されるように、弾性プレート３０の第１及び第２の脚部３１，３２（図６には、第２の脚部３２のみを示す。）の先端平面部とデッキベース２０の上面には間隔ｈが開いている。
【００２７】
次に、図７（ａ）に概念的に示されるように、ねじ４０，４１（図７（ａ）には、ねじ４１のみを示す。）を弾性プレート３０の第１及び第２の脚部３１，３２（図７（ａ）には、第２の脚部３２のみを示す。）の貫通孔３１ａ，３２ａ（図７（ａ）には、貫通孔３２ａのみを示す。）を通して、デッキベース２０のねじ穴２３，２４（図７（ａ）には、ねじ穴２４のみを示す。）に差し込む。そして、図７（ｂ）に概念的に示されるように、ねじ４０，４１を締め付ける（図７（ｂ）には、ねじ４１のみを示す。）ことによって、弾性プレート３０の第１及び第２の脚部３１，３２（図７（ｂ）には、第２の脚部３２のみを示す。）はデッキベース２０の上面に当接し、間隔ｈがなくなる。このとき、弾性プレート３０の第１乃至第３の係合部３０ｂ，３０ｃ，３０ｄ（図７（ｂ）には、第３の係合部３０ｄのみを示す。）及び基部３０ａは、ねじ４０，４１の締め付けによって撓み、フランジ部７にデッキベース２０に向かう力Ｃを付与して、ヘッドシリンダ１をデッキベース２０に固定する。
【００２８】
以上説明したように、実施の形態１によれば、第１及び第２のボス１１，１２をデッキベース２０の貫通孔２１，２２に係合させ、かつ、第１乃至第３の当接部８，９，１０をデッキベース２０の上面に当接させた状態で、弾性プレート３０及び第１及び第２のねじ４０，４１を用いてフランジ部７にデッキベース２０に向かう力を付与することによって、ヘッドシリンダ１をデッキベース２０に固定しているので、デッキベースに台座をねじ止めし、さらにヘッドシリンダを台座にねじ止めする従来例の場合に比べ、ヘッドシリンダ１の取り付け又は取り外しが容易になる。また、ヘッドシリンダ１の取り付け又は取り外しに際して、デッキベース２０を裏返す必要がないので、ヘッドシリンダ１の取り付け又は取り外しのための作業量を軽減させることができる。
【００２９】
さらに、特に、ヘッドシリンダ１と第１乃至第３の当接部８，９，１０とを一体的に構成した場合には、ヘッドシリンダ１とデッキベース２０の間に従来例のように別個の部材である台座を介在させていないので、デッキベース２０に対するヘッドシリンダ１の位置精度を高くすることができる。
【００３０】
実施の形態２
図８は、本発明の実施の形態２によるヘッドシリンダの固定装置の第１の弾性プレート４２を示す底面図であり、図９（ａ），（ｂ）は、実施の形態２によるヘッドシリンダの固定装置の第２の弾性プレート４３を示す正面図と底面図であり、図１０は、第１及び第２の弾性プレート４２，４３がフランジ部７に係合した状態を示す説明図である。
【００３１】
実施の形態２によるヘッドシリンダの固定装置は、第１及び第２の弾性プレート４２，４３の形状のみが実施の形態１（図１乃至図７）のものと相違する。従って、図１０において、第１及び第２の弾性プレート４２，４３以外の構成については、図１乃至図７の構成と同一であるので、同一の符号を付す。
【００３２】
図８及び図１０に示されるように、第１の弾性プレート４２は、フランジ部７の第１の当接部８側に係合する。第１の弾性プレート４２は、フランジ部７に係合する第１の係合部４２ａと、回転止め部４２ｂと、図１（実施の形態１）における第１の脚部３１と同様な形状を持つ脚部４４と、これに形成された貫通孔４４ａとを有する。
【００３３】
また、図９（ａ），（ｂ）及び図１０に示されるように、第２の弾性プレート４３は、フランジ部７の第２の当接部９側に係合する。第２の弾性プレート４３は、フランジ部７に係合する第２の係合部４３ａと、フランジ部７に係合する第３の係合部４３ｂと、図１（実施の形態１）における第２の脚部３２と同様な形状を持つ脚部４５と、これに形成された貫通孔４５ａとを有する。
【００３４】
実施の形態２のヘッドシリンダの固定装置によれば、弾性プレートが２つに分割されているので、ヘッドシリンダ１をデッキベース２０上に置いた後に第１及び第２の弾性プレート４２，４３をフランジ部７に係合させることができる。
【００３５】
実施の形態２のヘッドシリンダの固定装置において、上記以外の点は上記実施の形態１の場合と同一である。
【００３６】
【発明の効果】
以上説明したように、請求項１の発明によれば、当接手段をデッキベースに当接させた状態で、弾性プレートによりフランジ部にデッキベースに向かう力を付与することによって、ヘッドシリンダをデッキベースの上面に固定しているので、ヘッドシリンダの取り付け又は取り外しが容易になるという効果がある。また、デッキベースの上面のねじ穴及びねじを用いて、弾性プレートをデッキベースに固定しているので、ヘッドシリンダの取り付け又は取り外しに際してデッキベースを裏返す必要がないので、取り付け又は取り外しのための作業量を軽減させることができるという効果がある。さらに、ヘッドシリンダとデッキベースの間に台座を介在させていないので、デッキベースに対するヘッドシリンダの位置精度を高くすることができるという効果がある。
また、弾性プレートの端部とヘッドシリンダの中心軸とを結ぶ線がなす角度を１８０゜より大きくすることによって、ヘッドシリンダを安定してデッキベース上に固定することができるという効果がある。
【００３７】
また、請求項２の発明によれば、フランジ部と、当接手段とを固定ドラムと一体的に形成しているので、デッキベースに対するヘッドシリンダの位置精度を一層高くすることができるという効果がある。
【００３８】
また、請求項３の発明によれば、第３の当接部の高さが、第１の当接部の高さ及び第２の当接部の高さのいずれよりも高くすることによって、ヘリキャルスキャン方式に必要なヘッドシリンダの傾きを正確に持たせることができるという効果がある。
【００３９】
また、請求項４の発明によれば、ヘッドシリンダの下部に備えられた突起部をデッキベースの凹部に係合させているので、デッキベース上におけるヘッドシリンダの位置を正確に設定することができるという効果がある。
【００４０】
また、請求項５の発明によれば、ヘッドシリンダの下部に備えられた突起部を第１及び第２のボスから構成し、デッキベースの凹部を第１及び第２の貫通孔から構成し、第１のボスが第１の貫通孔に係合し、第２のボスが第２の貫通孔に係合させているので、デッキベース上におけるヘッドシリンダの位置をより一層正確に設定することができるという効果がある。
【００４３】
また、請求項６の発明によれば、弾性プレートに、フランジ部の第１乃至第３の当接部付近に係合する第１乃至第３の係合部を備えることによって、ヘッドシリンダを安定してデッキベース上に固定することができるという効果がある。
【００４４】
また、請求項７の発明によれば、弾性プレートの回転止め部を、フランジ部の第１又は第２の端部のいずれかに当接させることによって、フランジ部に対する弾性プレートの位置を適切な位置に簡単に設定できるという効果がある。
【００４５】
また、請求項８の発明によれば、弾性プレートが２つに分割されているので、ヘッドシリンダをデッキベース上に置いた後に第１及び第２の弾性プレートをフランジ部に簡単に係合させることができるという効果がある。
【図面の簡単な説明】
【図１】本発明の実施の形態１によるヘッドシリンダの固定装置の各構成の形状を概略的に示す斜視図である。
【図２】（ａ），（ｂ）は、図１のヘッドシリンダを拡大して示す正面図及び底面図である。
【図３】実施の形態１のヘッドシリンダの固定の手順を示す説明図（その１）である。
【図４】実施の形態１のヘッドシリンダの固定の手順を示す説明図（その２）である。
【図５】実施の形態１のヘッドシリンダの固定の手順を示す説明図（その３）である。
【図６】実施の形態１のヘッドシリンダの固定の手順を示す説明図（その４）である。
【図７】（ａ），（ｂ）は、実施の形態１のヘッドシリンダの固定の仕方を示す説明図である。
【図８】本発明の実施の形態２によるヘッドシリンダの固定装置の第１の弾性プレートを示す底面図である。
【図９】（ａ），（ｂ）は、実施の形態２によるヘッドシリンダの固定装置の第２の弾性プレート４３を示す正面図と底面図である。
【図１０】実施の形態２の第１及び第２の弾性プレートがフランジ部に係合した状態を示す説明図である。
【図１１】（ａ），（ｂ）は、ヘリキャルスキャン方式を採用する装置のヘッドシリンダの固定装置を概略的に示す正面図と側面図である。
【符号の説明】
１  ヘッドシリンダ、  ２  下ドラム、  ２ａ  底面、  ３  回転中心、  ４上ドラム、  ５  磁気ヘッド、  ７  フランジ部、  ７ａ  第１の端部、  ７ｂ  第２の端部、  ８  第１の当接部、  ９  第２の当接部、  １０  第３の当接部、  １１  第１のボス、  １２  第２のボス、  ２０  デッキベース、  ２１  第１の貫通孔、  ２２  第２の貫通孔、  ２３  第１のねじ穴、  ２４  第２のねじ穴、  ３０  弾性プレート、  ３０ａ  基部、  ３０ｂ  第１の係合部、  ３０ｃ  第２の係合部、  ３０ｄ  第３の係合部、  ３０ｅ  回転止め部、３１，４４  第１の脚部、  ３２，４５  第２の脚部、  ４０  第１のねじ、４１  第２のねじ、  ４２  第１の弾性プレート、  ４３  第２の弾性プレート。
【図１】
0003551616.tif 000002
【図２】
0003551616.tif 000003
【図３】
0003551616.tif 000004
【図４】
0003551616.tif 000005
【図５】
0003551616.tif 000006
【図６】
0003551616.tif 000007
【図７】
0003551616.tif 000008
【図８】
0003551616.tif 000009
【図９】
0003551616.tif 000010
【図１０】
0003551616.tif 000011
【図１１】
0003551616.tif 000012